(57)【特許請求の範囲】
【請求項１】
ロック部を有する第２ハウジングと、
前記第２ハウジングに嵌合可能な第１ハウジングと、
前記第１ハウジングに対して初期位置と嵌合位置との間を移動可能に組付けられ、前記第１、第２ハウジングが正規嵌合されるに伴い、前記初期位置から前記嵌合位置に移動させられるスライダとを備え、
前記第１ハウジングは、前記第２ハウジングが外嵌可能なハウジング本体と、前記ハウジング本体との間に撓み空間が形成されていて、前記ロック部を弾性的に係止することで前記第１、第２ハウジングを嵌合状態に保持するロックアームとを有し、
前記ロックアームには、前記ハウジング本体と対向する面とは反対側の面に、嵌合位置保持受け部が設けられ、
前記ハウジング本体には、前記ロックアームと対向する面に、初期位置保持受け部が設けられ、
前記スライダは、前記撓み空間側に挿入される幅方向に沿った基部と、前記基部の幅方向両端部から突出する一対のアーム部と、前記両アーム部の突出端部同士を連結して前記ロックアームの前記反対側の面に臨む連結部とを有し、
前記基部には、前記初期位置で前記初期位置保持受け部を弾性的に係止することで前記スライダの前記嵌合位置への移動を規制する初期位置保持部が撓み可能に設けられ、
前記連結部には、前記嵌合位置で前記嵌合位置保持受け部に当接することで前記スライダの抜け出しを規制する嵌合位置保持部が設けられていることを特徴とするコネクタ。
【請求項２】
前記第１ハウジングは、前記ロックアームを挟んだ幅方向両側に位置する一対のガイド壁を有し、前記両アーム部が前記両ガイド壁を摺動することにより、前記スライダの移動が案内されることを特徴とする請求項１記載のコネクタ。
【請求項３】
前記スライダは、前記基部と前記両アーム部と前記連結部とで全体として枠状をなし、前記初期位置保持部は、前記スライダの枠内に突出する形態とされていることを特徴とする請求項１又は２記載のコネクタ。
【請求項４】
前記嵌合位置保持受け部は、前記ロックアームの本体部分に突設され、前記嵌合位置保持部は、前記嵌合位置保持受け部が進入可能なように前記連結部に凹設されていることを特徴とする請求項１ないし３のいずれか１項記載のコネクタ。
【発明の詳細な説明】
【技術分野】
【０００１】
本発明は、コネクタに関する。
【背景技術】
【０００２】
特許文献１に開示のコネクタは、互いに嵌合可能な第１、第２ハウジング（特許文献１では「雌雄のコネクタハウジング」と呼称）と、第１ハウジングに対して移動可能に組付けられるスライダ（特許文献１では「前スライダと後スライダ」と呼称）とを備えている。スライダにはコイルバネが組込まれており、第１、第２ハウジングが嵌合過程でその嵌合動作を停止すると、それまでに蓄勢されたコイルバネのバネ力が解放されて、第１、第２ハウジングが互いに離反する方向に移動付勢され、これによって第１、第２ハウジングが半嵌合状態のまま留め置かれるのが防止されるようになっている。【０００３】
また、第１ハウジングは、第２ハウジングを内嵌可能な筒状のフード部を有し、フード部の天井部分にはスライダを収容可能な収容室が設けられている。収容室にスライダが収容されると、スライダの上方に収容室の天井壁が位置し、天井壁に形成された保持受け部（特許文献１では「係止段部」と呼称）に、スライダに形成された保持部（特許文献１では「突当部」と呼称）が係止することにより、スライダの第１ハウジングからの抜け出しが防止されるようになっている。
【先行技術文献】
【特許文献】
【０００４】
【特許文献１】特開２００２−１８４５２６号公報
【発明の概要】
【発明が解決しようとする課題】
【０００５】
ところで、上記の場合、スライダの上方を覆うように天井壁が配置されているため、天井壁の厚み分、コネクタの高さ寸法が増加するという問題がある。このため、第１ハウジングから天井壁を省略することが望まれるものの、天井壁を単に省略するだけでは、保持受け部も無くなるため、スライダの抜け出しを防止することができず、好ましくないという事情がある。【０００６】
本発明は上記のような事情に基づいて完成されたものであって、コネクタの大型化を回避した上で、スライダの抜け出しを防止することを目的とする。
【課題を解決するための手段】
【０００７】
本発明のコネクタは、ロック部を有する第２ハウジングと、前記第２ハウジングに嵌合可能な第１ハウジングと、前記第１ハウジングに対して初期位置と嵌合位置との間を移動可能に組付けられ、前記第１、第２ハウジングが正規嵌合されるに伴い、前記初期位置から前記嵌合位置に移動させられるスライダとを備え、前記第１ハウジングは、前記第２ハウジングが外嵌可能なハウジング本体と、前記ハウジング本体との間に撓み空間が形成されていて、前記ロック部を弾性的に係止することで前記第１、第２ハウジングを嵌合状態に保持するロックアームとを有し、前記ロックアームには、前記ハウジング本体と対向する面とは反対側の面に、嵌合位置保持受け部が設けられ、前記ハウジング本体には、前記ロックアームと対向する面に、初期位置保持受け部が設けられ、前記スライダは、前記撓み空間側に挿入される幅方向に沿った基部と、前記基部の幅方向両端部から突出する一対のアーム部と、前記両アーム部の突出端部同士を連結して前記ロックアームの前記反対側の面に臨む連結部とを有し、前記基部には、前記初期位置で前記初期位置保持受け部を弾性的に係止することで前記スライダの前記嵌合位置への移動を規制する初期位置保持部が撓み可能に設けられ、前記連結部には、前記嵌合位置で前記嵌合位置保持受け部に当接することで前記スライダの抜け出しを規制する嵌合位置保持部が設けられているところに特徴を有する。
【発明の効果】
【０００８】
スライダが嵌合位置に至ると、スライダの連結部に設けられた嵌合位置保持部がロックアームの嵌合位置保持受け部に当接してスライダの抜け出しが規制される。また、スライダが初期位置にある場合には、スライダの基部に設けられた初期位置保持部がハウジング本体の初期位置保持受け部を弾性的に係止してスライダの嵌合位置への不用意な移動が規制される。
上記の場合に、嵌合位置保持受け部がスライダを覆う天井壁に設けられていないため、コネクタから天井壁を省略することができる。また、基部がロックアームとハウジング本体との間のデッドスペースとなっている撓み空間側に挿入されるため、コネクタに基部専用の挿入スペースを設ける必要もない。したがって、コネクタの大型化を回避することが可能となる。
【図面の簡単な説明】
【０００９】
【図１】実施例１のコネクタにおいて、第１、第２ハウジングが互いに正対した状態をあらわす平面図である。
【図２】第１、第２ハウジングが互いに正規嵌合した状態をあらわす平面図である。
【図３】第１、第２ハウジングが互いに正対した状態をあらわす断面図である。
【図４】第１、第２ハウジングの嵌合過程の終盤の状態をあらわす断面図である。
【図５】第１、第２ハウジングが互いに正規嵌合した状態をあらわす断面図である。
【図６】コネクタの正面図である。
【図７】第１ハウジングの正面図である。
【図８】第１ハウジングの平面図である。
【図９】スライダの平面図である。
【図１０】スライダの底面図である。
【図１１】スライダの側面図である。
【図１２】スライダの正面図である。
【発明を実施するための形態】
【００１０】
本発明の好ましい形態を以下に示す。
前記第１ハウジングは、前記ロックアームを挟んだ幅方向両側に位置する一対のガイド壁を有し、前記両アーム部が前記両ガイド壁を摺動することにより、前記スライダの移動が案内される。連結部と基部とをつなぐ両アーム部によってスライダの移動が案内されるため、スライダに移動案内のための専用のガイド構造を設ける必要がなく、スライダの構成を簡素化することができる。
【００１１】
前記スライダは、前記基部と前記両アーム部と前記連結部とで全体として枠状をなし、前記初期位置保持部は、前記スライダの枠内に突出する形態とされている。スライダ全体が枠状の形態をなすため、スライダが形状安定性に優れた構造になる。また、初期位置保持部がスライダの枠内に突出する形態とされているため、初期位置保持部の周囲が保護された状態となり、初期位置保持部が異物との干渉によって折損等される事態が回避される。
【００１２】
前記嵌合位置保持受け部は、前記ロックアームの本体部分に突設され、前記嵌合位置保持部は、前記嵌合位置保持受け部が進入可能なように前記連結部に凹設されている。これにより、嵌合位置で嵌合位置保持部と嵌合位置保持受け部との当接状態が不用意に解除されるのが防止される。
【００１３】
＜実施例１＞
本発明の実施例１を図１〜図１２によって説明する。実施例１は、互いに嵌合可能な第１、第２ハウジング１０、９０と、第１ハウジング１０に組付けられるスライダ６０と、スライダ６０に組付けられるバネ部材８０と、第１ハウジング１０に装着される第１端子金具２０と、第２ハウジング９０に装着される第２端子金具９９とを備えている。なお、以下の説明において、前後方向については、第１、第２ハウジング１０、９０の相互の嵌合面側を前方とし、上下方向については図３を基準とする。
【００１４】
第２ハウジング９０は合成樹脂製であって、図３に示すように、筒状のフード部９１を有している。フード部９１の内部には、第２端子金具９９の雄タブ９５が突出して配置されている。フード部９１の上壁の上面には、ロック部９２が突設されている。また、図１に示すように、フード部９１の上壁の上面には、ロック部９２を挟んだ幅方向両側に、一対のガイド突条９３が前後方向に延出して形成され、さらに、両ガイド突条９３の両側外方に、一対の押圧部９４が前後方向に延出して形成されている。そして、フード部９１の上壁の前端開口縁には、図４に示すように、後述する初期位置保持部７６と初期位置保持受け部２５との係止を解除可能な解除部９６が形成されている。
【００１５】
第１ハウジング１０は同じく合成樹脂製であって、図３及び図７に示すように、ブロック状のハウジング本体１１と、ハウジング本体１１の周りを包囲する筒状の嵌合筒部１２とを有している。ハウジング本体１１と嵌合筒部１２との間には、フード部９１が嵌合可能な嵌合空間１３が前方に開放して形成されている。ハウジング本体１１には、複数のキャビティ１４が前後方向に貫通して形成されている。実施例１の場合、図７に示すように、各キャビティ１４は、横並びに対をなして配置され、その下面に撓み可能なランス１５が突出して形成されている。各キャビティ１４内には第１端子金具２０が挿入される。図３に示すように、第１端子金具２０は、電線１００の導体部分に圧着接続されるとともに、電線１００に嵌着されたゴム栓２００に圧着接続されるようになっている。そして、各キャビティ１４内に第１端子金具２０が正規挿入されると、第１端子金具２０がランス１５に弾性的に係止されて抜け止めされるとともに、ゴム栓２００がキャビティ１４の後端部に挿入されてキャビティ１４内が液密にシールされ、且つ、ハウジング本体１１の後端から電線１００が引き出されるようになっている。
【００１６】
ハウジング本体１１の外周面には、図３に示すように、段差１６が形成されており、段差１６を境とする前方領域が後方領域から一段落ちた形態とされている。ハウジング本体１１の外周面には、段差１６の前方にシールリング３００が嵌着されている。図５に示すように、第１、第２ハウジング１０、９０の嵌合時には、嵌合空間１３にフード部９１が進入して、フード部９１とハウジング本体１１との間にシールリング３００が弾性的に圧縮され、これによって第１、第２ハウジング１０、９０が液密にシールされるようになっている。
【００１７】
ハウジング本体１１の外周面の前端部には、図３に示すように、キャップ状のフロント部材４００が被せられる。上記のシールリング３００はフロント部材４００によって前方への抜け出しが規制されるようになっている。
【００１８】
また、ハウジング本体１１の外周面の上端には、図５に示すように、ロックアーム１７が連結されている。ロックアーム１７は、ハウジング本体１１の外周面から上方に立ち上がるアーム支点部１８と、アーム支点部１８の上端から前後両方向に延出するアーム本体１９とを有している。アーム本体１９の前端部にはロック突起２１が下向きに突出して形成され、且つ、アーム本体１９の後端部には解除操作部２２が一段高く形成されている。
【００１９】
図４に示すように、第１、第２ハウジング１０、９０の嵌合過程では、ロック突起２１がロック部９２と干渉してアーム本体１９がアーム支点部１８を支点として撓み変形され、図５に示すように、第１、第２ハウジング１０、９０の正規嵌合時には、アーム本体１９が弾性的に復帰してロック突起２１がロック部９２を係止可能に配置されて、第１、第２ハウジング１０、９０が嵌合状態に保持されるようになっている。一方、第１、第２ハウジング１０、９０の嵌合状態を解除する際には、後述するように、スライダ６０を前方に押し込んで解除操作部２２の下方の撓み空間４２（図３を参照）から退避させた状態で、解除操作部２２を撓み空間４２側に押し下げて、ロック部９２からロック突起２１を離間させることにより、第１、第２ハウジング１０、９０を互いに引き離すことが可能となっている。
【００２０】
また、図５に示すように、アーム本体１９の上面の前端部には、スライダ６０の後方への抜けを規制する嵌合位置保持受け部２３が形成されている。図８に示すように、嵌合位置保持受け部２３は、幅方向に延びるリブ状の形態とされている。また、図７に示すように、アーム支点部１８の幅方向中央部には、貫通孔２４が形成されている。図５に示すように、アーム支点部１８における貫通孔２４の下方で且つ段差１６の後方には、ハウジング本体１１の上面との間に段付き状をなす初期位置保持受け部２５が形成されている。貫通孔２４にはスライダ６０の後述する初期位置保持部７６が貫通可能とされ、初期位置保持受け部２５には貫通孔２４を貫通した初期位置保持部７６の先端部に形成された後述する係止突起７７が係止可能とされている（図３を参照）。
【００２１】
図８に示すように、嵌合筒部１２の上壁のうちロックアーム１７と対向する部分は開放されており、ロックアーム１７の上面は露出している。ここで、嵌合筒部１２の上壁は、ロックアーム１７を挟んだ両側に、一対のガイド壁２６を有している。両ガイド壁２６は、ハウジング本体１１の前端から後方に延出する形態とされ、ハウジング本体１１との間にスライダ６０の移動を案内するガイド空間２７が形成されている。
【００２２】
両ガイド壁２６の後部は、上方に開放された断面略四半円弧状をなし、ハウジング本体１１の後端より後方に突出する形態とされている。両ガイド壁２６の前部は、ロックアーム１７と対向する側を開放させた断面略半円弧状をなしている。図７に示すように、両ガイド壁２６の前部には、一対のガイドリブ３１が立ち上げ形成されている。両ガイドリブ３１は、両ガイド壁２６の内縁に沿うように前後方向に延出する形態とされ、アーム本体１９の前部の幅方向両端と対向する位置に配置されている。
【００２３】
また、両ガイド壁２６の前端には、ガイド空間２７の前方を閉塞する一対のストッパ壁３２が張り出して形成されている（図６を参照）。スライダ６０の前端がストッパ壁３２に当接することにより、スライダ６０のそれ以上の前進が規制されるようになっている。
【００２４】
続いてスライダ６０について説明する。スライダ６０は、第１ハウジング１０のガイド空間２７に挿入され、第１ハウジング１０に対し、初期位置（図１、図３、図４及び図６に示す位置)と嵌合位置（図２及び図５に示す位置）との間を、ガイド壁２６を摺動しつつ前後方向に移動可能に組付けられる。具体的には、スライダ６０は合成樹脂製であって全体として矩形枠状をなし、図９に示すように、幅方向に沿った板片状の基部６１と、基部６１の幅方向両端から前方に延出する一対のアーム部６２と、両アーム部６２の前端間に架け渡される連結部６３とを有している。
【００２５】
連結部６３は、基部６１より上方に位置しており、図１２に示すように、正面視において基部６１と重ならないように段違いに配置されている。図３に示すように、スライダ６０が第１ハウジング１０に組付けられると、基部６１がロックアーム１７の解除操作部２２の下方に位置する撓み空間４２側の位置し、連結部６３がロックアーム１７の前端部の上面側に位置するようになっている。
また、図９に示すように、連結部６３の後端の幅方向中央部には、略矩形状に凹む嵌合位置保持部６４が形成されている。図５に示すように、スライダ６０が嵌合位置にあるとき、嵌合位置保持部６４の内側には、ロックアーム１７の嵌合位置保持受け部２３が進入して当て止めされるようになっている。
【００２６】
図１０に示すように、両アーム部６２の下部には、バネ部材８０を収容可能な一対のバネ収容部６５が形成されている。なお、バネ部材８０は、圧縮コイルバネ等の周知のバネからなり、前後方向に弾性的に伸縮可能とされている。
【００２７】
バネ収容部６５は、略円筒状の形態をなし、その内部にバネ部材８０の全体を収容可能とされている。そして、バネ収容部６５は、バネ部材８０の前後両端を受けて支持する前後夫々の第１、第２バネ受け部６７、６８を有している。第１、第２バネ受け部６７、６８は、スライダ６０の成形用金型が前後方向に抜かれることに起因し、図１２に示すように、正面視において互いに重ならない位置に配置されている。また、図１０に示すように、バネ収容部６５の前部には、内方及び下方に開放する開放部６６が形成されている。
【００２８】
図６に示すように、バネ収容部６５内にバネ部材８０が組付けられると、第１バネ受け部６７の下方に、バネ部材８０の前端下部が露出して配置される。これにより、第１、第２ハウジング１０、９０の嵌合過程では、第２ハウジング９０の押圧部９４がバネ部材８０の前端下部を押し込みつつ開放部６６内に導入されるようになっている。また、第２バネ受け部６８は、バネ部材８０の後端下部に当接してバネ部材８０のバネ力を受け止めることが可能となっている。
【００２９】
図１２に示すように、両アーム部６２には、バネ収容部６５から略垂直に立ち上がる一対の保護壁７３が形成されている。図６に示すように、スライダ６０が第１ハウジング１０に組付けられた場合に、両保護壁７３がロックアーム１７の幅方向両端を覆うように位置するようになっている。
【００３０】
また、両アーム部６２の上端部には、スライダ６０の移動を案内可能な一対のガイド本体７４が形成されている。ガイド本体７４は、両保護壁７３の上端からいったん外側に張り出したあと下向きに垂れる断面略弧状の形態をなしている。スライダ６０が第１ハウジング１０に組付けられると、図６に示すように、ガイド本体７４と保護壁７３との間にガイドリブ３１が嵌合状態で挿入され、スライダ６０の移動過程では、ガイドリブ３１がガイド本体７４と保護壁７３とに摺動して、スライダ６０の移動が案内されるようになっている。
【００３１】
また、両アーム部６２の後端には、図１１に示すように、後端から前方へ向けて上方に階段状に傾斜する押し込み操作部７５が形成されている。押し込み操作部７５が前方へ押圧されることにより、スライダ６０が初期位置に向けて移動することが可能となっている。
【００３２】
基部６１には、スライダ６０の嵌合位置への移動を規制可能な初期位置保持部７６が撓み可能に形成されている。図９に示すように、初期位置保持部７６は、基部６１の上面の幅方向中央部から前方へ片持ち状に突出する形態とされている。図１１に示すように、初期位置保持部７６の先端部には、係止突起７７が下向きに突出して形成されている。図３に示すように、スライダ６０が初期位置にあるとき、係止突起７７が初期位置保持受け部２５に引っ掛け係止されるようになっている。また、初期位置保持部７６の先端部の前面には、斜め下向きに傾斜する傾斜面５３が形成されている。さらに、初期位置保持部７６は、基部６１に連結された基端部から前後方向略中央部の領域にかけて上部の厚みを次第に増加させた台状の肉盛り部７８を有している。
【００３３】
実施例１のコネクタの構造は上述の通りであり、続いて、コネクタの組付け方法及び嵌合作業を説明する。
まず、スライダ６０のバネ収容部６５にバネ部材８０が収容される。バネ部材８０は、開放部６６を通してバネ収容部６５に挿入される。すると、バネ部材８０の前端が第１バネ受け部６７に支持されるとともに、バネ部材８０の後端が第２バネ受け部６８に支持される。
【００３４】
続いて、第１ハウジング１０のガイド空間２７に後方からスライダ６０が挿入される。スライダ６０の挿入過程では、基部６１がロックアーム１７の解除操作部２２の下方の撓み空間４２側に位置するとともに、保護壁７３がガイド壁２６とロックアーム１７との間の隙間に進入し、且つ、連結部６３がアーム本体１９の前端上方に位置する。スライダ６０が正規に組付けられると、初期位置保持部７６が貫通孔２４を貫通して、図３に示すように、係止突起７７が初期位置保持受け部２５を係止可能に配置されて、スライダ６０の後方への抜け止めがなされる。また、スライダ６０が正規に組付けられると、バネ収容部６５の前端がストッパ壁３２に当接可能に配置されて、スライダ６０の前方への移動が規制される。こうして、スライダ６０は、第１ハウジング１０に対して初期位置にその前後移動を規制された状態で保持される。
【００３５】
なお、スライダ６０が初期位置にあるとき、バネ部材８０はその前後両端が第１バネ受け部６７と第２バネ受け部６８とに支持される。また、初期位置では、肉盛り部７８がロックアーム１７における解除操作部２２側の撓み空間４２よりも前方に位置し、これによってロックアーム１７の撓み動作が可能となっている。さらに、スライダ６０が第１ハウジング１０に組付けられた状態では、基部６１及び両アーム部６２の各上面が解除操作部２２の上端とほぼ同じ高さ位置に露出して配置される。
【００３６】
続いて、第１ハウジング１０の嵌合空間１３に第２ハウジング９０のフード部９１が嵌合される。嵌合過程では、第２ハウジング９０の押圧部９４がバネ収容部６５内に進入して、バネ部材８０の前端下部に押圧部９４が当接する。さらに嵌合が進むと、バネ部材８０の前端が押圧部９４に押圧されて第１バネ受け部６７から離間し、バネ部材８０が第２バネ受け部６８に支持された状態で弾性的に圧縮される。この間、バネ部材８０は、スライダ６０に対してバネ力を付与した状態でそのバネ力を蓄勢させることになる。
【００３７】
図４に示すように、第１、第２ハウジング１０、９０の嵌合過程の終盤には、第２ハウジング９０の解除部９６が初期位置保持部７６の先端部に当接して傾斜面５３を摺動し、それに伴って初期位置保持部７６がその基端部を支点として撓み変形させられる。
その後、第１、第２ハウジング１０、９０が正規嵌合位置に至ると、図５に示すように、ロックアーム１７がロック部９２に弾性的に係止され、第１、第２ハウジング１０、９０が抜け止め状態に保持される。同時に、第１、第２端子金具２０、９９が互いに正規接続される。
【００３８】
また、第１、第２ハウジング１０、９０が正規嵌合位置に至ると、初期位置保持部７６の係止突起７７と初期位置保持受け部２５との係止が解除され、それに伴い、バネ部材８０に蓄勢されたバネ力が解放されて、バネ部材８０が自然状態に復帰しようとする。そして、かかるバネ部材８０の復帰動作に伴い、スライダ６０の第２バネ受け部６８がバネ部材８０に押圧されて、スライダ６０全体が後方に移動させられる。
【００３９】
スライダ６０の移動過程では、バネ収容部６５がガイド壁２６の内面を摺動するとともに、保護壁７３とガイド本体７４とにガイドリブ３１が摺動し、これによってスライダ６０の移動が案内される。そして、図５に示すように、スライダ６０が嵌合位置に至ると、バネ部材８０がほぼ自然状態に復帰した状態となり、且つ、ロックアーム１７の嵌合位置保持受け部２３がスライダ６０の嵌合位置保持部６４に当接され、これによってスライダ６０のそれ以上の後退が規制される。こうしてスライダ６０が嵌合位置に至った状態を視認することにより、第１、第２ハウジング１０、９０が正規嵌合状態にあることを知ることができる。
【００４０】
また、スライダ６０が嵌合位置にあるとき、図５に示すように、肉盛り部７８は、ロックアーム１７の解除操作部２２側の撓み空間４２に位置して、解除操作部２２側の下面に近接して配置される。この状態で、仮に、ロックアーム１７の解除操作部２２に上方から異物（指を含む）が偶発的に当接しても、ロックアーム１７が肉盛り部７８と当接することでそれ以上の撓み動作が規制され、解除操作部２２が不用意に解除操作されるのが防止される。
【００４１】
一方、仮に、第１、第２ハウジング１０、９０が正規嵌合状態となる前にその嵌合操作を停止すると、嵌合過程で蓄勢されたバネ部材８０のバネ力によって押圧部９４が押し戻され、第１、第２ハウジング１０、９０が互いに離反される。これにより、第１、第２ハウジング１０、９０が半嵌合状態のまま留め置かれるのが防止される。
【００４２】
また、メンテナンス等の事情により第１、第２ハウジング１０、９０を互いに離間する際には、まず押し込み操作部７５を指で押圧してスライダ６０を前方へ向けて押し込むようにする。すると、バネ部材８０が弾性的に圧縮されて、押圧部９４がバネ部材８０に押圧された状態となる。そして、スライダ６０の前進に伴い、解除操作部２２の下方から肉盛り部７８が退避して、ロックアーム１７の撓み動作が許容される。その状態で、解除操作部２２を押圧してロックアーム１７の前端部を持ち上げると、ロック突起２１がロック部９２から離間する。こうしてロックアーム１７のロック状態が解除されるに伴い、バネ部材８０が押圧部９４を前方へ押圧し、その押圧力（バネ力）によって第１ハウジング１０が第２ハウジング９０から離反されることとなる。
【００４３】
以上説明したように、スライダ６０が嵌合位置に至ると、スライダ６０の連結部６３に設けられた嵌合位置保持部６４がロックアーム１７の嵌合位置保持受け部２３に当接してスライダ６０の抜け出しが規制される。また、スライダ６０が初期位置にある場合には、スライダ６０の基部６１に設けられた初期位置保持部７６がハウジング本体１１の初期位置保持受け部２５を弾性的に係止してスライダ６０の嵌合位置への不用意な移動が規制される。この場合に、嵌合位置保持受け部２３が、従来と違って、スライダ６０を覆う天井壁に設けられておらず、コネクタから天井壁が省略される。また、基部６１がロックアーム１７とハウジング本体１１との間のデッドスペースとなっている撓み空間４２側に挿入され、コネクタに基部６１の収容スペースが特別に設けられることもない。したがって、コネクタの大型化を回避することが可能となる。
【００４４】
また、連結部６３と基部６１とをつなぐ両アーム部６２に形成されたガイド本体７４によってスライダ６０の移動が案内されるため、両アーム部６２とは別に、スライダ６０に移動案内のための専用のガイド構造を設ける必要がなく、スライダ６０の構成を簡素化することができる。
【００４５】
また、スライダ６０全体が枠状の形態をなすため、スライダ６０が形状安定性に優れる。しかも、初期位置保持部７６がスライダ６０の枠内に突出する形態とされているため、初期位置保持部７６の周囲が保護された状態となり、初期位置保持部７６が異物との干渉によって折損等される事態が回避される。
【００４６】
さらに、嵌合位置保持受け部２３がロックアーム１７のアーム本体１９に突設され、嵌合位置保持部６４が連結部６３に凹設されているため、嵌合位置で嵌合位置保持部６４と嵌合位置保持受け部２３との当接状態が不用意に解除されるのが防止される。
【００４７】
＜他の実施例＞
本発明は上記記述及び図面によって説明した実施例に限定されるものではなく、例えば次のような態様も本発明の技術的範囲に含まれる。
（１）バネ部材は、第１ハウジングとスライダとの間に介設されるものであってもよい。
（２）スライダは、初期位置から嵌合位置に向けて前進する構成であってもよい。
（３）初期位置保持部の先端部には、係止突起にかわって係止凹部が形成され、初期位置保持受け部は、凹状の形態ではなく、係止凹部に引っ掛け可能な突状の形態をなすものであってもよい。
（４）実施例１とは逆に、嵌合位置保持部がスライダの連結部に突設され、嵌合位置保持受け部が前記突状の嵌合位置保持部が進入可能なようにロックアームの先端部に凹設されるものであってもよい。
【符号の説明】
【００４８】
１０…第１ハウジング
１１…ハウジング本体
１７…ロックアーム
２３…嵌合位置保持受け部
２５…初期位置保持受け部
４２…撓み空間
６０…スライダ
６１…基部
６２…アーム部
６３…連結部
６４…嵌合位置保持部
７６…初期位置保持部
８０…バネ部材
９０…第２ハウジング
９１…フード部
９２…ロック部
９６…解除部 
【図１】
0005863084.tif 000002
【図２】
0005863084.tif 000003
【図３】
0005863084.tif 000004
【図４】
0005863084.tif 000005
【図５】
0005863084.tif 000006
【図６】
0005863084.tif 000007
【図７】
0005863084.tif 000008
【図８】
0005863084.tif 000009
【図９】
0005863084.tif 000010
【図１０】
0005863084.tif 000011
【図１１】
0005863084.tif 000012
【図１２】
0005863084.tif 000013